(57)【要約】      （修正有）【課題】抗菌作用及びセルフクリーニング効果を具有する浸透性フィルムの構造を提供する。【解決手段】高分子混合フィルム、抗菌剤及び無機金属酸化物で構成される。高分子混合フィルムに抗菌剤及び無機金属酸化物を加え、不織布や綿生地、又は人造皮革からなる基材に付着させる。【選択図】図１
0003166042.tif 000002
【実用新案登録請求の範囲】
【請求項１】
高分子混合フィルム、抗菌剤及び無機金属酸化物及び基材を含み、
該高分子混合フィルムに抗菌剤及び無機金属酸化物を加え、基材に付着させて浸透性フィルムを形成することを特徴とする浸透性フィルムの構造。
【請求項２】
前記基材は不織布、綿生地或いは人造皮革で作られることを特徴とする請求項１記載の浸透性フィルムの構造。
【考案の詳細な説明】
【技術分野】
【０００１】
本考案は浸透性フィルムの構造に関し、特に抑菌作用とセルフクリーニング効果を具有する浸透性フィルムの構造に関する。
【背景技術】
【０００２】
近年、商工業の発達に連れ、多くの新しい社会問題を引き起こすようになった。微生物がアルミ製品を腐食することによる飛行安全問題や、黄色ブドウ球菌が引き起こす感染、大腸菌による食中毒、世界に危害をもたらしたＳＡＲＳなど、微生物が引き起こすダメージは、航空業界から日常生活に至るまで、広範囲に影響を及ぼしている。よって、前記の問題の発生を解決、或いは防止するためにも、抗菌製品のニーズが益々高くなり、様々な方法や設備もそれに応じて発明されるようになった。防護装備を例に挙げると、よく見られる防護材料は多機能の複合材料に発展し、軽くて柔らかくて長持ち、ローコスト、選択できる及び繰り返し使える特性を持つほか、通気性がよく、最近はウィルス及び毒物を遮断する機能を持つ。しかし現在、使用後の防護装備の破棄方法が大きな問題を抱えている。ここ数年に起こったＳＡＲＳやＨ１Ｎ１などの伝染病が流行した時期、各レベルの医療スタッフが医療最前線で防疫を行う際、医療防護服は第一線のスタッフに不可欠な装備である。現在の一般の医療所で使用する医療防護服の多くは不織布で作られ、医療スタッフに直接汚染物が付くのを防ぐ。しかし、不織布材質の医療防護服は気体の汚染物が通り抜けるのを防止する機能がなく、ウィルスと毒物が医療防護服に付着しても、死亡或いは消滅することがないため、使用後の医療防護服は焼却をし、二次感染を避ける必要がある。しかし、医療防護服を使用した後に脱ぐ及び焼却する過程で、尚も危険が潜在している。如何にして防護材料にセルフクリーニングの効果をもたらすのかが、克服すべき難題であることは否めない。更にナノ銀成分を添加した医療防護服は使われているが、ナノ銀成分は抗菌、殺菌という素晴らしい効果はあるものの、変色しやすくコストも高い点については、解決しがたい問題である。研究により、ナノ銀は男性の精子細胞のシグナルを妨害し、成長を止めるデータがあり、男性の生育能力に影響を及ぼす。よって、ナノ銀は前記の医療防護服に適さない。また、各種の製品に使用する場合、もっと安全性の高い抗菌材料を用いる必要があるため、更なる改善を行った。
【先行技術文献】
【特許文献】
【０００３】
【特許文献１】特開平７−２６６４７７号公報
【考案の概要】
【考案が解決しようとする課題】
【０００４】
前記公知構造の欠点を解決するため、本考案は抑菌作用及びセルフクリーニング効果を具有する選択性を有する浸透性フィルムの構造を提供することを主な課題とする。
【課題を解決するための手段】
【０００５】
前記課題を解決するために、本考案は抑菌作用及びセルフクリーニング効果を具有する選択性を有する浸透性フィルムの構造を提供するものである。本考案は高分子混合フィルムを含み、その中に抗菌剤及び無機金属酸化物を加えることで選択性を有する浸透性フィルムを形成する。実際の応用においては、該選択性を有する浸透性フィルムは生物化学の防護或いは繊維やフィルムなどの環境保護用の防護材料とすることができる。
本考案は下記の特徴を有する。
（１）高分子混合フィルム、抗菌剤及び無機金属酸化物及び基材を含み、
該高分子混合フィルムに抗菌剤及び無機金属酸化物を加え、基材に付着させて浸透性フィルムを形成することを特徴とする浸透性フィルムの構造。
（２）前記基材は不織布、綿生地或いは人造皮革で作られることを特徴とする（１）記載の浸透性フィルムの構造。
【考案の効果】
【０００６】
本考案の高分子混合フィルムは適切な分量で配分したポリエチレンイミン(ＰＥＩ)、ポリビニルアルコール(ＰＶＡ)、ポリウレタン(ＰＵ)、エチレン−酢酸ビニル共重合体(ＥＶＡ)で作成し、同時に抗菌剤及び無機金属酸化物を加えて抑菌作用及びセルフクリーニング効果を具有する浸透性フィルムを形成し、工業化学薬品処理を行う方や、医療スタッフ、或いは環境クリーニングする方の健康と安全を保障する。
【図面の簡単な説明】
【０００７】
【図１】本考案における選択性を有する浸透性フィルムの構造図である。
【考案を実施するための形態】
【０００８】
本考案による抑菌作用とセルフクリーニング効果を具有する浸透性フィルムの構造を明確に示すために図に沿って詳細な説明を行う。
【０００９】
防護材料が抑菌作用及びセルフクリーニング効果を具有するために、本考案の図１に示すのは選択性を有する浸透性フィルム１０の構造である。該構造に含まれるのは一つの高分子を混合したフィルム１１と、それに抗菌剤１２及び無機金属酸化物１３を加え、更に不織布や綿生地或いはその他の人造皮革など、適切な基材１４を結合することにより、選択性を有する浸透性フィルム１０を形成する。
【００１０】
該高分子混合フィルム１１は適切な分量で配分したポリエチレンイミン(ＰＥＩ)、ポリビニルアルコール(ＰＶＡ)、ポリウレタン(ＰＵ)、エチレン−酢酸ビニル共重合体(ＥＶＡ）で作られている。最良実施例では、該高分子混合フィルム１１は鋳造法を用いてポリエチレンイミン(ＰＥＩ)、ポリビニルアルコール(ＰＶＡ)、ポリウレタン(ＰＵ)、エチレン−酢酸ビニル共重合体(ＥＶＡ）の水溶液を混合し、強靭で柔らかい高分子フィルムを作る。該高分子が該高分子混合フィルム１１の中で網状構造を形成するため、含水率が約１０％であり、該高分子混合フィルム１１の中に、分子間にある大量の水素が結合する。
【実施例】
【００１１】
該抗菌剤１２はナノ亜鉛であり、強い抗菌性を持ちながら、人体に与える毒性は低く、生物化学の活性が細菌の細胞壁を通り抜けるため、細胞内の酵素蛋白が変性して自然に死亡させる効果をもたらす。よって、抗菌製品の開発に適用し、選択性を有する浸透性フィルムの抗菌力を高める。実際、ナノ亜鉛以外、該抗菌剤１２はその他の抗菌殺菌力を具有するナノ金、ナノ銅、ナノプラチナなどのナノクラスの金属材料或いはその構成物質、或いはナノ酸化亜鉛、ナノ酢酸亜鉛、ナノ酸化銅、ナノ酸化銅など化合物であることができる。同時にこれらの金属イオンは人体にある酵素の大事な構成部分であり、皮膚を守る効果を持つ。最良実施例では、該抗菌剤１２は迅速に有害な微生物を無くすのを最優先にするのではなく、長期間使用する過程において有害な微生物の成長と繁殖を抑制することで、人体の健康を守る目的に重きを置いている。本考案にて採用する抗菌剤１２の抗菌メカニズムは主にナノ亜鉛の抗菌作用に着目している。細菌は通常マイナス電気を帯び、ナノ亜鉛と微生物の細胞膜が接触する際、クーロン力により細胞膜とナノ亜鉛をしっかりと結合する。プラス電気を帯びた亜鉛イオン(Ｚｎ+)は、細胞膜を通り抜けて細胞内に進入し、水硫化物イオン(ＨＳ−)と反応を引き起こして、細胞が合成する酵素の活性を破壊し、細胞が分裂増殖する能力を失わせて死亡させる。細菌を殺した後、亜鉛イオンは沈殿してから細菌の抜け殻から抜けて、他の細菌本体と接触し、上述の反応を繰り返す。これはナノ亜鉛が長期間持続して殺菌できる原因である。
【００１２】
該無機金属酸化物１３はポリオキソメタレートクラスター(ｐｏｌｙｏｘｍｅｔａｌａｔｅ ｃｌｕｓｔｅｒｓ＝ＰＯＭ)とすることができ、有機汚染物と対抗する力をもつ。ポリオキソメタレートクラスター(ＰＯＭ)のまたの名は金属オキソ酸であり、シンプルな無機オキソ酸が縮合して形成するポリメタルオキサイドクラスター (ｐｏｌｙ−ｍｅｔａｌ ｏｘｉｄｅ ｃｌｕｓｔｅｒｓ)である。実際の応用では、ポリオキソメタレートクラスター(ＰＯＭ)は光触媒を応用し、水中にある有機汚染物を分解する。ポリオキソメタレートクラスター(ＰＯＭ)は生物の活性をも具有し、特に病毒と対抗する面においては、相当高い活性と選択性を持ち、多くの文献でも指摘するように、ポリオキソメタレートクラスター(ＰＯＭ)はエイズウィルスや、ガンにインフルエンザに対抗できる強い活性を持つ。よって、本考案はポリオキソメタレートクラスター(ＰＯＭ)を選択性を有する浸透性フィルムの中に添加し、毒物に対抗できる機能をもたらす。また、該無機金属酸化物１３はポリオキソメタレートクラスター(ＰＯＭ)とできるほか、その他の有機汚染物と対抗できる物質とすることもできる。
【００１３】
該選択性を有する浸透性フィルム１０を形成した後、該浸透性フィルム１０は更に懸濁液の定量殺滅テスト及び抑菌リングのテストを通じて、該浸透性フィルム１０の抑菌力を検査し、また、硫黄毒を含む化合物を使って水蒸気の浸透実験及び化学浸透実験を通じて、該選択性を有する浸透性フィルム１０のセルフクリーニング力をテストする。
【産業上の利用可能性】
【００１４】
本考案における選択性を有する浸透性フィルム１０は、適切な分量で配分したポリエチレンイミン、ポリビニルアルコール、ポリウレタンで作られた高分子混合フィルム１１の中に、抗菌剤１２及び無機金属酸化物１３を加える。その中、該選択性を有する浸透性フィルム１０は生物化学の防護或いは環境保護用の繊維やフィルムなどのプロテクト材料を用いて防護装置及び防護服に作ることで、工業化学薬品処理を行う方や、医療スタッフ、或いは環境クリーニングする方の健康と安全を保障する。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１０  浸透性フィルム
１１  高分子混合フィルム
１２  抗菌剤
１３  無機金属酸化物
１４  基材
【図１】
0003166042.tif 000003